(57)【要約】      （修正有）【課題】自立型のパーティション装置としながら、仕切パネル間の連結角度を調整可能にして空間仕切の自由度を高め、しかも、仕切パネルを横方向から取り外し可能にして多機能性を与えることができるパーティション装置を提供する。【解決手段】第１及び第２の単位パーティション１０，２０を連結してなる。第１の単位パーティション１０は、キャスター１５付きの支持台部１３Ｌ，１３Ｒの上に支柱パイプ１１を有し、支柱パイプ１１間に仕切パネル１６が横から差し込み可能に装着されている。第２の単位パーティション２０は、一対の支柱パネル２１間に仕切パネル２６が取り付けられ、一方の支柱パイプ２１にのみキャスター１５付きの支持台部２３が設けられている。第１の単位パーティション１０の支柱パイプ１１の上下端部には受け板３０及び連結板３５が設けられ、これに対して第２の単位パーティション２０の支柱パイプ２１の上下端が回動可能に連結されている。【選択図】図２
0003155375.tif 000002
【実用新案登録請求の範囲】
【請求項１】
第１及び第２の単位パーティションを連結してなるパーティション装置であって、
前記第１の単位パーティションは、
キャスターを有する一対の支持台部と、
各支持台部に立設した一対の支柱部と、
前記各支柱部間に渡して設けられた仕切パネルと、
前記一対の支柱部のうちの一方の支柱部の下端部において前記仕切パネルとは反対方向に突出するように設けられた受け板と、
前記受け板を設けた支柱部の上端部に前記仕切パネルとは反対方向に突出するように設けられた連結板とを備え、
前記第２の単位パーティションは、
一対の支柱部と、
キャスターが設けられ前記一対の支柱部のうちの一方の支柱部の下端部に設けられた支持台部と、
前記一対の支柱部のうちの他方の支柱部の下端部に設けられ前記第１の単位パーティションの前記受け板上に載置した状態で前記受け板に対して回動可能に支持する下回動軸と、
前記一対の支柱部のうちの前記他方の支柱部の上端部を前記第１の単位パーティションの前記連結板に対して回動可能に連結する上回動軸と、
前記各支柱部間に渡して設けられた仕切パネルとを備え、
前記第１及び第２の両単位パーティションの各一対の前記支柱部のうちの少なくとも一方の支柱部にはその軸方向に沿って前記各仕切パネルを横方向から出し入れするためのスリットが形成され、かつ、そのスリットを形成した前記支柱部には前記スリットを開閉する蓋部材が着脱可能に設けられていることを特徴とするパーティション装置。
【請求項２】
前記上回動軸及び前記下回動軸は、六角頭ボルトにより形成されている請求項１記載のパーティション装置。
【請求項３】
前記第１及び第２の両単位パーティションの前記各支柱部の双方には、前記スリット及び前記蓋部材が設けられていることを特徴とする請求項１又は２記載のパーティション装置。
【請求項４】
前記仕切パネルには、透光シートを重ねて前記支柱部のスリットを通して出し入れ可能に構成されていることを特徴とする請求項１ないし請求項３のいずれか一項に記載のパーティション装置。
【考案の詳細な説明】
【技術分野】
【０００１】
本考案は、複数枚の仕切パネルを互いに回動可能に連結してなるパーティション装置に関する。
【背景技術】
【０００２】
従来、パーティション装置として特許文献１記載のものが公知である。このパティション装置は複数の支柱間に仕切パネルを張り渡して自立型に構成したものである。自立型とするために、各仕切パネルの下端部には床面に載置される支持台部が設けられ、二枚の仕切パネルは直角に組み合わされて固定されている。
【０００３】
しかし、このような構成では、多くの仕切パネル及び支柱が固定的に一体化されていて重量がかさむため移動が困難である上に、仕切パネル間の角度を調整できないため、例えば広い室内スペースをイベントの度に自由に仕切るような柔軟な使用が困難である。
【０００４】
そこで、パーティション装置としては、室内空間を必要に応じて自在に仕切ることができるようにするため、仕切パネルを一対の支柱間に張り渡し、各支柱に支持台部を設けた単一パネル形に構成し、その仕切パネルを所望な角度となるように配置して使用する構成も提供されている。しかしながら、上記構成では、隣接するパネルを支持する各支柱の下端部に設けられている支持台部が互いに干渉するため、隣接するパネルの支柱を近づけて配置することができず、仕切パネル間に隙間ができてしまって仕切機能が十分に発揮できないという問題があった。このために、隣接する仕切パネルの支柱部を極小の隙間で連結した上で、各仕切パネルを互いに回動できる構成が求められていた。
【０００５】
一方、従来のパーティション装置においては、仕切パネルは単に目隠し機能を有するに過ぎなかったため、時には、例えばポスターを見栄え良く表示したり、或いはホワイトボードとして使用したりできる多機能性が求められている。ポスターを見栄え良く表示するには、単に画鋲で留めるだけでは足らず、例えば仕切パネルと透光フィルムとの間にポスターを挟んだ状態に支持することが好ましい。また、ホワイトボードとして使用できるようにするには、ホワイトボード専用のパネルに交換できるようにすることが好ましい。すなわち、上述のようにパーティション装置に多機能性を与えるためには、仕切パネルを支柱から横方向から取り外してポスターの差し替えや、パネル自体の交換を可能にする構造が必要になる。
【０００６】
しかしながら、従来、仕切パネル間を回動可能に連結しながら、仕切パネルを支柱部の横方向から取り外し可能にして多機能性を与える構造を実現することが困難で、その点の改良が熱望されていた。
【先行技術文献】
【特許文献】
【０００７】
【特許文献１】特開２０００−１６０７４２号公報
【考案の概要】
【考案が解決しようとする課題】
【０００８】
本考案は、上記事情に鑑みてなされたもので、自立型のパーティション装置としながら、仕切パネル間の連結角度を調整可能にして空間仕切の自由度を高め、しかも、仕切パネルを横方向から取り外し可能にして多機能性を与えることができるパーティション装置を提供することを目的とする。
【課題を解決するための手段】
【０００９】
上記課題を解決するため、本考案のパーティション装置は、第１及び第２の単位パーティションを回動可能に連結して構成したものとする。そして、前記第１の単位パーティションは、キャスターを有する一対の支持台部と、各支持台部に立設した一対の支柱部と、前記各支柱部間に渡して設けられた仕切パネルと、前記一対の支柱部のうちの一方の支柱部の下端部において前記仕切パネルとは反対方向に突出するように設けられた受け板と、前記受け板を設けた支柱部の上端部に前記仕切パネルとは反対方向に突出するように設けられた連結板とを備えた構成とする。そして、前記第２の単位パーティションは、一対の支柱部と、キャスターが設けられ前記一対の支柱部のうちの一方の支柱部の下端部に設けられた支持台部と、前記一対の支柱部のうちの他方の支柱部の下端部に設けられ前記第１の単位パーティションの前記受け板上に載置した状態で前記受け板に対して回動可能に支持する下回動軸と、前記一対の支柱部のうちの前記他方の支柱部の上端部を前記第１の単位パーティションの前記連結板に対して回動可能に連結する上回動軸と、前記各支柱部間に渡して設けられた仕切パネルとを備えた構成とする。その上で、前記第１及び第２の両単位パーティションの各一対の前記支柱部のうちの少なくとも一方の支柱部にはその軸方向に沿って前記各仕切パネルを横方向から出し入れするためのスリットを形成し、かつ、そのスリットを形成した前記支柱部には前記スリットを開閉する蓋部材を着脱可能に設けたものである。
【００１０】
上記構成では、第１の単位パーティションは、各支持台部に立設された一対の支柱部間に仕切パネルが張り渡されている。また、第２の単位パーティションでは、一対の支柱部の一方にのみ支持台部が設けられ、他方の支柱部は第１の単位パーティションの支柱部に設けた連結板と受け板との間で上回動軸と下回動軸とによって回動可能に連結される。このため、両単位パーティションの連結部分には一台の支持台部しか存在しないことになるから、隣接するパーティションの二つの支持台部の相互干渉が生ずることがなく、両仕切パネルが角度調節可能な状態で回動可能に連結されている。
【００１１】
一方、両単位パーティションの各支柱部には、仕切パネルを横方向から出し入れするためのスリットが形成されているから、仕切パネルを必要に応じて交換したり、透光フィルムとの間にポスターを挟んで支柱部に支持させたりすれば、多種多様な使い方が可能になる。なお、各支持台部にはキャスターが設けられているから、両単位パーティションを連結状態にしたまま、所望の場所に簡単に移動することができる。
【００１２】
本考案では、特に、次の実施態様が好ましい。例えば、前記上回動軸及び前記下回動軸を六角頭ボルトにより構成する。これにより、支柱部の上端及び下端から六角頭ボルトが突出する形態とすることができ、レンチを使って狭い隙間から上下の両回動軸の連結・離脱操作を行うことができて作業性が向上する。
【００１３】
また、前記第１及び第２の両単位パーティションの前記各支柱部の双方に、前記スリット及び前記蓋部材を設けるようにすると、仕切パネルの交換を各単位パーティションの左右両側から作業を行うことができ、作業性がよくなる。
【００１４】
加えて、前記仕切パネルに、透光シートを重ねて前記支柱部のスリットを通して出し入れ可能に構成しておけば、透光シートと仕切パネルとの間にポスター類を挟んで掲示することができ、見栄えが非常によくなる。
【考案の効果】
【００１５】
本考案のパーティション装置によれば、支持台部と支柱部によって自立する自立型のパーティション装置でありながら、仕切パネル間の連結角度が調整可能であって空間仕切の自由度が高い。しかも、仕切パネルを支柱部から横方向に取り外し可能であるから、仕切パネルの交換等によって多機能性を与えることができるという効果が得られる。
【図面の簡単な説明】
【００１６】
【図１】本考案に係るパーティション装置の正面図である。
【図２】同じく第１及び第２の単位パーティションを分解した正面図である。
【図３】同じく側面図である。
【図４】第１の単位パーティションの横断面図である。
【図５】第１及び第２の単位パーティションの縦断面図である。
【図６】支柱パイプ上端部の連結構造を示す拡大分解縦断面図である。
【図７】支柱パイプ上端部の連結構造を示す平面図である。
【図８】支柱パイプ下端部の連結構造を示す拡大正面図である。
【図９】支柱パイプ上端部の連結構造を示す各段縦断面図である。
【図１０】両単位パーティションを回動させた状態を示す平面図である。
【考案を実施するための形態】
【００１７】
本考案の一実施形態を図面を参照して説明する。
【００１８】
本実施形態のパーティション装置は、図１及び図２に示すように、第１の単位パーティション１０（便宜上、左側に図示したものとする）及び第２の単位パーティション２０（同じく、右側に図示）を左右に連結して構成したものである。
【００１９】
第１の単位パーティション１０は、左右両側に一対の支柱部である支柱パイプ１１を有し、その支柱パイプ１１の下端部間に下フレーム１２Ｌ、中間部に中フレーム１２Ｍ及び上フレーム１２Ｕが架け渡されている。各支柱パイプ１１の下端部には図１の紙面に直交する方向に延びる（図２参照）支持台部１３Ｌ，１３Ｒが後に詳述するジョイント部材１４を介して固定され、各支持台部１３Ｌ，１３Ｒにはそれぞれ２個のキャスター１５が取り付けられている。
【００２０】
上記支柱パイプ１１は共にアルミニウム合金の押し出し材から製造したもので、左右で同一構造のものを上下反転させて使用しており、図４に示すように、円筒部１１Ａと角筒部１１Ｂとを横並びの連通状態に一体化した形状であり、円筒部１１Ａの側壁には角筒部１１Ｂとは反対側において上下方向に沿って延びるスリット１１Ｃが形成されている。また、円筒部１１Ａ内には、上記スリット１１Ｃに連なる一対のガイド壁１１Ｄが角筒部１１Ｂの端面部まで連続して形成されており、そのスリット１１Ｃから挿入した仕切パネル１６をガイド壁１１Ｄによって案内しつつ、反対側の支柱パイプ１１のガイド壁１１Ｄ間まで挿入できるようになっている。なお、挿入された上下２枚の仕切パネル１６の各上下の端縁部は、下フレーム１２Ｌ、中フレーム１２Ｍ及び上フレーム１２Ｕによって保持される（図５参照）。
【００２１】
上記支柱パイプ１１のスリット１１Ｃは、外表面の円筒部１１Ａの外周形状に合致させた蓋部材１７によって開閉可能に塞がれている。スリット１１Ｃは左右の支柱パイプ１１の双方に設けられているから、各仕切パネル１６は支柱パイプ１１に対して左右のいずれの方向からでも出し入れ可能となっている。
【００２２】
一方、前記ジョイント部材１４は、詳細にはアルミニウム合金のダイキャスト成型によって製造され、支柱パイプ１１の円筒部１１Ａの内側にぴったりと合致して嵌合される円筒嵌合部１４Ａと、これに一体に形成されて支柱パイプ１１の角筒部１１Ｂの内側にぴったりと合致して嵌合される角筒嵌合部１４Ｂと、角筒嵌合部１４Ｂの端部から円筒嵌合部１４Ａとは反対側に突出する角筒状のフレーム嵌合部１４Ｃとを備える。図６に示すように、円筒嵌合部１４Ａの上端面のうちその中心部にはネジ穴１４Ｄが形成されると共に、その両側に位置して２つのネジ挿通孔１４Ｅが形成されている。これらのジョイント部材１４は、上記ネジ挿通孔１４Ｅに固定ネジ１８を挿通し、その先端を支柱パイプ１１に形成した２つのネジ受け筒部１１Ｅ（図４参照）にそれぞれねじ込むことで、支柱パイプ１１の上下両端に固定されている。
【００２３】
また、下フレーム１２Ｌ及び上フレーム１２Ｕは、それらの両端を左右の支柱パイプ１１の上下両端に固定したジョイント部材１４のフレーム嵌合部１４Ｃの外側に嵌合し、その外側から皿ネジ１９をねじ込むことでジョイント部材１４ひいては支柱パイプ１１に固定されている（図６参照）。
【００２４】
そして、上記第１の単位パーティション１０のうち、図１及び図２の右側に位置している支柱パイプ１１の下端部には、支持台部１３Ｒとの間に位置して受け板３０が固定されている。この受け板３０は図４に示すように支柱パイプ１１の下端部において仕切パネル１６とは反対側に突出するように設けられており、突出部のほぼ中央部にボルト挿通孔３１を有する。
【００２５】
一方、前記第２の単位パーティション２０は、概ね上記の第１の単位パーティション１０と同様な構成・サイズであるが、図１及び図２に示すように、左側（第１の単位パーティション１０側）に位置する支柱パイプ２１には支持台部が設けられていないところが相違する。すなわち、第２の単位パーティション２０は、やはり左右両側に一対の支柱部である支柱パイプ２１（第１の単位パーティション１０の支柱パイプ１１と同一長さ）を有し、その上下両端に前述のジョイント部材１４と同様なジョイント部材２４が固定されている。両支柱パイプ２１の下端部間には下フレーム２２Ｌ、中間部に中フレーム２２Ｍ及び上フレーム２２Ｕが架け渡され、支柱パイプ２１に上下方向に沿って形成したスリット（図示しないが、第１の単位パーティション１０におけるスリット１１Ｃと同じ）から挿入した仕切パネル２６が支柱パイプ２１及び上記各フレーム２２Ｌ〜２２Ｕによって保持されている。各支柱パイプ２１のスリットは、やはり蓋部材（図示しないが、第１の単位パーティション１０における蓋部材１７と同じ）によって開閉可能に塞がれている。そして、右側の支柱パイプ２１の下端部にのみ前記ジョイント部材２４を介して支持台部２３が固定され、その下面に２個のキャスター２５が取り付けられている。
【００２６】
さて、上記第２の単位パーティション２０の左側の支柱パイプ２１は次のようにして第１の単位パーティション１０に連結されている。すなわち、左側の支柱パイプ２１の下端部にはジョイント部材２４のみがあって支持台部が設けられていないから、支柱パイプ２１（ジョイント部材２４）の下端面は平坦である。そこで、そのジョイント部材２４の下端面を第１の単位パーティション１０の受け板３０上に載置し、受け板３０のボルト挿通孔３１に下回動軸に相当する六角頭ボルト３２を挿入し（図２参照）、ジョイント部材２４のネジ穴２４Ｄにねじ込む。これにより、ジョイント部材２４ひいては第２の単位パーティション２０の支柱パイプ２１はジョイント部材２４に対して回動可能に連結された状態となる。
【００２７】
次に、その支柱パイプ２１を第１の単位パーティション１０の右側の支柱パイプ１１に僅かなギャップを介して沿わせた状態とする。これにより、２つのジョイント部材１４、２４が近接するから、両ジョイント部材１４、２４間に渡って連結板３５を架け渡す（図９参照）。連結板３５は、図７に示すように、各ジョイント部材１４、２４の円筒嵌合部１４Ａ，２４Ａに対応する２つの円盤部３５Ａを連結部３５Ｂで連結した形状をなし、円筒嵌合部１４Ａ，２４Ａの各ネジ穴１４Ｄ、２４Ｄに対応する位置にボルト挿通孔３６を有する。そこで、連結板３５の左側のボルト挿通孔３６に固定ボルト３７を挿通して、ジョイント部材１４のネジ穴１４Ｄにねじ込んでおき、これを支柱パイプ１１の上端に固定した状態としておく。そして、右側のボルト挿通孔３６には、上回動軸に相当する六角頭ボルト３８を挿通し、ジョイント部材２４のネジ穴２４Ｄにねじ込む。これにより、第２の単位パーティション２０の支柱パイプ２１の上端部はジョイント部材２４を介して連結板３５に対して回動可能に連結された状態となる。
【００２８】
なお、前述した支柱パイプ１１のスリット１１Ｃを開閉する蓋部材１７（図４参照）は、図６に示す固定ビス４０をジョイント部材１４のビス挿通孔１４Ｆに挿通させて蓋部材１７のビス受け筒部１７Ａにねじ込むことで、支柱パイプ１１に固定されている。また、支柱パイプ２１のスリットを開閉する蓋部材も、固定ビス４１をジョイント部材２４のビス挿通孔２４Ｆを通して上記の蓋部材１７と同様に支柱パイプ２１に固定されている。さらに、第２の単位パーティション２０において、上フレーム２２Ｕも第１の単位パーティション１０と同様に、ジョイント部材２４のフレーム嵌合部２４Ｃの外側に嵌合し、その外側から皿ネジ２９をねじ込むことでジョイント部材２４ひいては支柱パイプ２１に固定されている（図６参照）。
【００２９】
本実施形態は以上の構成であり、第１及び第２の両単位パーティション１０，２０は、六角頭ボルト３２，３８を中心にして回動可能に連結された状態にある。それでいながら、両単位パーティション１０、２０の連結部分には一つの支持台部１３Ｒしか存在していない。従って、両単位パーティション１０、２０を互いに回動させたとしても、支持台部が干渉して回動動作が妨げられることはなく、自由に回動させることができる。図１０には、両単位パーティション１０、２０を、図１に示された直線的に横に連ねた状態から第２の単位パーティション２０を９０度だけ上に回動させた状態を示したが、これに限られず、両単位パーティション１０，２０を自由な角度だけ回動させることができる。従って、室内空間を自由な区切り方で仕切ることができる。しかも、各単位パーティション１０、２０はキャスター１５，２５によって移動可能であるから、自立型でありながら、容易に移動させることができ、不要な場合には、収納作業も容易に行うことができる。
【００３０】
一方、各単位パーティション１０，２０の各支柱パイプ１１，２１には、仕切パネル１６，２６を横方向から出し入れするためのスリット１１Ｃ，２１Ｃが形成され、これが蓋部材１７，２７によって開閉可能に閉じられている。従って、仕切パネル１６又は２６を例えばポスター掲示のために交換するには、まず固定ビス４０又は４１を取り外し、蓋部材１７又は２７を横方向に取り外す。そして、仕切パネル１６又は２６をスリット１１Ｃ又は２１Ｃから横方向に抜き出す。
【００３１】
ついで、仕切パネル１６又は２６に掲示しようとするポスター等を重ねてさらに透明シート（図示せず）を重ね、その状態で再びスリット１１Ｃ又は２１Ｃから仕切パネル１６又は２６（透明シートとの間にポスターを挟んだ状態にある）を横に差し入れ、その先端を反対側の支柱パイプ１１又は２１内に挿入し、蓋部材１７又は２７を支柱パイプ１１又は２１に固定すればよい。これにより、単なる仕切機能のみを有するパーティションが、同時にポスターの掲示機能を有するパーティションとなるから、多様な使い方ができる。また、ポスターを掲示するに限らず、例えばホワイトボード用のパネルに差し替えれば、パーティションをホワイトボードとして使用することもできる。或いは、単なる仕切機能を有するパーティションとして使用する場合でも、仕切パネル１６又は２６を異なる柄、質感を有する仕切パネルに交換することで、和洋両用に使用する等、様々な状況に対応することもできる。
【００３２】
また、本実施例では、支柱パイプ１１，２１の横方向から仕切パネル１６又は２６を交換可能に構成したから、大型の仕切パネルであっても、交換が容易である。また、各支柱パイプ１１，２１にスリット１１Ｃ、２１Ｃを形成してあるから、左右両側から仕切パネル１６，２６の交換が可能である。
【００３３】
＜他の実施形態＞
本考案は上記記述及び図面によって説明した実施形態に限定されるものではなく、例えば次のような実施形態も本考案の技術的範囲に含まれる。
【００３４】
上記実施形態では、同一サイズの２枚の単位パーティション１０、２０を連結した形態を例示したが、これに限られず、異なるサイズのものであってもよく、また、３枚以上を連結しても良いことは勿論である。
【符号の説明】
【００３５】
１０…第１の単位パーティション
１１，２１…支柱パイプ（支柱部）
１３Ｌ，１３Ｒ，２３…支持台部
１５…キャスター
１６…仕切パネル
２０…第２の単位パーティション
３０…受け板
３２…六角頭ボルト（下回動軸）
３５…連結板
３８…六角頭ボルト（上回動軸）
【図１】
0003155375.tif 000003
【図２】
0003155375.tif 000004
【図３】
0003155375.tif 000005
【図４】
0003155375.tif 000006
【図５】
0003155375.tif 000007
【図６】
0003155375.tif 000008
【図７】
0003155375.tif 000009
【図８】
0003155375.tif 000010
【図９】
0003155375.tif 000011
【図１０】
0003155375.tif 000012